(57)【要約】【課題】中央処理装置の放熱固定構造の提供。【解決手段】本考案の中央処理装置の放熱固定構造は一種の放熱器と中央処理装置と係止める固定構造でもって、中央処理装置より発生する熱エネルギーを放熱器へ有効に伝導させる。本考案はマザーボード上中央処理装置スロットの周縁に二つの貫通孔。マザーボード裏側に背板を設け、この背板上に前記の貫通孔に対応するねじ締めつけ孔。放熱器の底部に締めつける固定部材を設け、この固定部材はさらにフレームとフレーム両側の下方向に延伸して設ける二つのＺ形ピントル・フック；このフレームの中央場所に空間部を設け、放熱器底部の放熱部を露出して、中央処理装置に合わせる。前記のＺ形ピントル・フックの末端部はマザーボードに設けた固定孔に対応する。前記の固定孔とねじ締めつけ孔を通して、背板と固定部材を固定するため、２本のボルトより構成する。【選択図】図１
0003120351.tif 000002
【実用新案登録請求の範囲】
【請求項１】
中央処理装置の放熱器固定構造であり、二つの貫通孔、背板、固定部材及び二つのボルトを包含し、二つの貫通孔はマザーボード上の中央処理装置スロット周縁に設け、背板はマザーボードの裏側に設置し、該背板に前記の貫通孔に対応する二つの固定孔を設け、固定部材は放熱器底部に固定され、該固定部材はさらに、フレームおよびフレーム両側に設けて、下方向に延伸するＺ形ピントル・フック二つを設け、該フレームの中央部に空間部を設けて、放熱器底部の伝熱部を露出し、中央処理装置に対応し、前記のＺ形ピントル・フックの端部に固定孔を設け、マザーボードに設ける貫通孔に対応し、二つのボルトは前記固定孔とねじ締め付け孔を通して、背板と固定部材を締めつけることを特徴とする中央処理装置の放熱器固定構造。
【請求項２】
請求項１記載の中央処理装置の放熱器固定構造において、フレームの底部に誤挿入防止突起部を設けることを特徴とする中央処理装置の放熱器固定構造。
【請求項３】
請求項１記載の中央処理装置の放熱器固定構造において、フレームの底部に誤挿入防止突起部を設けることを特徴とする中央処理装置の放熱器固定構造。
【請求項４】
請求項１記載の中央処理装置の放熱器固定構造において、背板とマザーボードとの間に絶縁層を設けることを特徴とする中央処理装置の放熱器固定構造。
【請求項５】
請求項１記載の中央処理装置の放熱器固定構造において、ねじ締め付け孔は背板の突起栓内部に設け、突起栓はマザーボードの裏側より貫通孔を通して、マザーボードの表面に突き出して設けることを特徴とする中央処理装置の放熱器固定構造。
【請求項６】
請求項１記載の中央処理装置の放熱器固定構造において、背板上にマザーボードスロットのハンダ付けリード部を避けるための凹み部を設けることを特徴とする中央処理装置の放熱器固定構造。
【請求項７】
請求項６記載の中央処理装置の放熱器固定構造において、凹み部に通過孔を設けることを特徴とする中央処理装置の放熱器固定構造。
【考案の詳細な説明】
【技術分野】
【０００１】
本考案は一種の中央処理装置の放熱固定構造に関わるもので、この固定構造は放熱器と中央処理装置と良好な係止め効果を形成させ、中央処理装置より発生した熱エネルギーを放熱器により有効に放出させる。
【背景技術】
【０００２】
中央処理装置はコンピュータにおいて、膨大なデータの演算処理を行う中核部品である。近年、中央処理装置の演算速度に対するニーズから絶えずに向上されている。このため、処理クロック向上と共に、発生する熱エネルギーも多くなる。よって、中央処理装置の過熱により、処理の異常または損害を防止するため、より放熱効果の放熱器が要求されている。
【０００３】
公知技術の中央処理装置の放熱は、中央処理装置の表面に伝熱体を取り付ける。伝熱体のほとんどは銅、アルミ製の放熱フィンまたは放熱パイプ、あるいはその他高伝熱の金属部材を用いる。さらに、ファンを設けてその伝熱体に強制送風により、中央処理装置放熱器を構成する。その上、伝熱体と中央処理装置の表面に放熱ペストまたは放熱シートを取り付けて、接触空間の隙間を埋めて、伝熱効果を向上させる。
【０００４】
前記の公知技術は、伝熱体でもって中央処理装置より発生した熱エネルギーを外部に搬送し、ファンにより、流動する空気分子を伝熱体に接触させ、伝熱体の放熱効果を加速させる。この種の中央処理装置放熱技術において、もっとも経済効果を実現できる主流技術と言える。
【０００５】
前記の説明から、中央処理装置の放熱に影響する主な要素は、伝熱体の放熱面積とファンによる空気分子の流動速度であることが分かる。このため、近年中央処理装置の処理速度アップにつれて、放出する熱エネルギー放出量も多くなり、伝熱体とファンが締める体積、形状、空間も大きくなると共に、放熱器の重量と体積が増大する問題を来している。
【０００６】
通常、放熱器の固定方式として、バネシートまたは固定部材により中央処理装置スロット周縁の適切な場所に連結して、放熱器により中央処理装置に係止め力量を形成し、放熱器を固定する。しかし、中央処理装置スロットは構造的に、強い係止め力量を受けることができない。よって、この種の放熱器を中央処理装置スロットに直接固定するものにとって、体積と重量の大きい放熱器に提供できる支持力量は限られる。このため、固定不良により、ファン回転の振動、放熱器と中央処理装置に摩擦、中央処理装置受圧の不均衡などの問題を引き起す。さらに、コンピュータを搬送するとき、コンピュータスロットに余分な力量をかかってしまい、中央処理装置スロットに損傷をもたらす。
【０００７】
良好な支持力量を提供するため、公知技術はマザーボード上に中央処理装置スロットの周縁に複数の貫通孔を設け、固定フレームをマザーボードにねじ締めつけ、または留めた上、留め具などにより放熱器を中央処理装置に留めておく。この種の実施態様は放熱器の設置による力量をマザーボードに分散し、前記の中央処理装置スロットの受力不均衡問題を解消できる。
【０００８】
前記の公知技術は中央処理装置スロットまたはマザーボードそのものが放熱器に支持力量を提供している。しかし、中央処理装置スロットとマザーボードとの間、またはマザーボード内部に多くの精密電子回路が設けられているため、支持力量の向上に限界があるほか、放熱器を取り付けるときに電子回路を損傷する恐れがある。
【考案の開示】
【考案が解決しようとする課題】
【０００９】
本考案の中央処理装置の放熱固定構造は少なくともマザーボード上中央処理装置スロットの周縁に二つの貫通孔。マザーボード裏側に背板を設け、この背板上に前記の貫通孔に対応するねじ締めつけ孔。放熱器の底部に締めつける固定部材を設け、この固定部材はさらにフレームとフレーム両側の下方向に延伸して設ける二つのＺ形ピントル・フック。このフレームの中央場所に空間部を設け、放熱器底部の放熱部を露出して、中央処理装置に合わせる。前記のＺ形ピントル・フックの末端部はマザーボードに設けた固定孔に対応する。前記の固定孔とねじ締めつけ孔を通して、背板と固定部材を固定するため、２本のボルトより構成する。この構造により、固定部材と背板と直接に締めつけて、放熱器をマザーボードに締めつけるときの損傷が避けられるほか、固定部材と背板との間に完備な応力構造を形成する。
【００１０】
そのうち、前記のＺ形ピントル・フックの末端部はボルトを締めつける前は、その水平面に傾斜挟み角を呈し、Ｚ形ピントル・フックはボルトにより、締めつけられたとき、ボルトはＺ形ピントル・フックの末端部に圧迫するため、このとき、Ｚ形ピントル・フックの末端部は反対方向の弾性反力を引き起こして、ボルトは振動による弛みで、締め付け孔より抜け出すことを発生しにくい。
【００１１】
さらに、フレームの底面に誤挿入防止突起部を設け、この誤挿入防止突起部は固定部材を放熱器の下部に取り付けるとき、作業の不注意により、固定部材を反対方向に取り付けられて、中央処理装置に対する異常圧迫を防止する働きがある。
【００１２】
なお、一部の市販のマザーボードは生産工程により、中央処理装置スロットは、マザーボードの背面にハンダ付けリードが設けられている。本考案は背板に設けて、中央処理装置スロットハンダ付けリードの凹み部を避けるか、または背板とマザーボードとの間に、絶縁層を設け、絶縁効果と緩衝効果を提供できるほか、この絶縁層の厚みにより、固定部材と背板との締め付け間隔を調整できる。
【００１３】
さらに、前記の締め付け孔は背板の突起栓に設け、この突起栓はマザーボードの裏側から貫通孔を通して、マザーボードの表面に突き出しておき、固定部材を締めつけるときの利便性を提供する。
【課題を解決するための手段】
【００１４】
請求項１の考案は、中央処理装置の放熱器固定構造であり、二つの貫通孔、背板、固定部材及び二つのボルトを包含し、二つの貫通孔はマザーボード上の中央処理装置スロット周縁に設け、背板はマザーボードの裏側に設置し、該背板に前記の貫通孔に対応する二つの固定孔を設け、固定部材は放熱器底部に固定され、該固定部材はさらに、フレームおよびフレーム両側に設けて、下方向に延伸するＺ形ピントル・フック二つを設け、該フレームの中央部に空間部を設けて、放熱器底部の伝熱部を露出し、中央処理装置に対応し、前記のＺ形ピントル・フックの端部に固定孔を設け、マザーボードに設ける貫通孔に対応し、二つのボルトは前記固定孔とねじ締め付け孔を通して、背板と固定部材を締めつけることを特徴とする中央処理装置の放熱器固定構造としている。
請求項２の考案は、請求項１記載の中央処理装置の放熱固定構造において、フレームの底部に誤挿入防止突起部を設けることを特徴とする中央処理装置の放熱固定構造としている。
請求項３の考案は、請求項１記載の中央処理装置の放熱固定構造において、フレームの底部に誤挿入防止突起部を設けることを特徴とする中央処理装置の放熱固定構造としている。
請求項４の考案は、請求項１記載の中央処理装置の放熱固定構造において、背板とマザーボードとの間に絶縁層を設けることを特徴とする中央処理装置の放熱固定構造としている。
請求項５の考案は、請求項１記載の中央処理装置の放熱固定構造において、ねじ締め付け孔は背板の突起栓内部に設け、突起栓はマザーボードの裏側より貫通孔を通して、マザーボードの表面に突き出して設けることを特徴とする中央処理装置の放熱固定構造としている。
請求項６の考案は、請求項１記載の中央処理装置の放熱固定構造において、背板上にマザーボードスロットのハンダ付けリード部を避けるための凹み部を設けることを特徴とする中央処理装置の放熱固定構造としている。
請求項７の考案は、請求項６記載の中央処理装置の放熱固定構造において、凹み部に通過孔を設けることを特徴とする中央処理装置の放熱固定構造としている。
【考案の効果】
【００１５】
本考案は、放熱器と中央処理装置との間の固定部材により、マザーボードに締め付けて、放熱器と中央処理装置と安定な係り止めを実現し、中央処理装置より発生する熱エネルギーを効率よく放熱器に伝送できる効果がある。
【考案を実施するための最良の形態】
【００１６】
図１に示すものは、本考案実施例の立体分解図である。図示した固定構造の態様は少なくとも、マザーボード１００の中央処理装置スロット１０１周縁に設ける二つの貫通孔１０、マザーボード１００背面に設ける背板２０、放熱器３０底面に設ける固定部材４０、および背板２０とマザーボード１００との間に設ける絶縁層５０、固定部材４０と背板２０を締めつける２本のボルト６０より構成し、組み立て後の立体外観図は図２に示す。
【００１７】
図１及び図３に示すとおり、図３は本考案の断面概略図である。そのうち、中央処理装置スロット１０１はマザーボード１００に設け、中央処理装置スロット１０１の表面に中央処理装置１０２を設ける。
【００１８】
背板２０に貫通孔１０に対応した２本の突起栓２１を設け、突起栓２１内部にねじ締め付け孔２２を設ける。この突起栓２１はマザーボード１００の裏側より貫通孔１０を通して、マザーボード１００の表面に突き出しておき、固定部材４０を締めつけるときの位置合わせ工程を容易にする。背板２０は中央処理装置スロット１０１の内側に凹み部２３を設けて、背板２０と中央処理装置スロット１０１裏側のハンダ付けリード部との接触を避ける。さらに、凹み部２３に貫通孔２３１を設けても良い。この貫通孔２３１は背板２０の向上強度を向上できるほか、中央処理装置スロット１０１の背面区域により良い放熱効果を提供する。
【００１９】
放熱器３０は伝熱体３１とファン３２との組合せにより構成し、伝熱体３１の底部に伝熱部３３を設ける。
前記の固定部材４０は固定ねじ４０１により、放熱器３０の底部に締めつける。この固定部材４０はフレーム４１およびフレーム両側に設けて、下方向に延伸するＺ形ピントル・フック４２を設ける。フレーム４１の中央場所に空間部４１１を設け、放熱器３０底部の伝熱部３３は空間部４１１より露出し、中央処理装置に対応する。さらに、前記のＺ形ピントル・フック４２の端部は、マザーボード１００に設ける貫通孔１０に対応する固定孔４２１を設ける。
【００２０】
さらに、フレームの底面に誤挿入防止突起部４１２を設け、この誤挿入防止突起部４１２は固定部材４０を放熱器の下部３０に取り付けるとき、作業の不注意により、固定部材４０を反対方向に取り付けられて、中央処理装置１０２に対する異常圧迫を防止する働きがある。
【００２１】
ボルト６０は前記の固定孔４２１とねじ締め付け孔２２により、背板２０と固定部材４０を締めつけた後、固定部材４０を背板２０に締めつける。マザーボード１００に締めつけるときに引き起こす損傷を避けて、完備な応力構造を形成する。
【００２２】
図４に示すものは、本考案実施例の固定部材を締めつける前の概略図である。前記のＺ形ピントル・フック４２に固定孔４２１を設ける端部は、ボルト６０を締めつける前に、水平面に傾斜挟み角θを形成し、Ｚ形ピントル・フック４２はボルト６０によって締めつけた後、ボルトはＺ形ピントル・フック４２の端部を圧迫する。このとき、Ｚ形ピントル・フック４２の端部は反対方向の弾性反力を引き起こして、ボルト６０をねじ締め付け孔２２締めつけた後、振動の弛みによる抜け出すことを発生しにくい。
【図面の簡単な説明】
【００２３】
【図１】本考案の好ましい実施例の立体分解図である。
【図２】本考案の好ましい実施例の立体組み合わせ図である。
【図３】本考案の好ましい実施例の断面概略図である。
【図４】本考案の好ましい実施例の固定片締め付け前の概略図である。
【符号の説明】
【００２４】
１００  マザーボード        １０１  中央処理装置スロット
１０２  中央処理装置        １０  貫通孔
２０  背板                  ２１  突起栓
２２  ねじ締め付け孔        ２３  凹み部
２３１  通過孔              ３０  放熱器
３１  伝熱体                ３２  ファン
３３  伝熱部                ４０  固定部材
４０１  ねじ                ４１  フレ―ム
４１１  空間部              ４２  Ｚ形ピントル・フック
４２１  固定孔              ４１２  誤挿入防止突起部
５０  絶縁層                ６０  ボルト
θ  傾斜挟み角
【図１】
0003120351.tif 000003
【図２】
0003120351.tif 000004
【図３】
0003120351.tif 000005
【図４】
0003120351.tif 000006